(57)【要約】      （修正有）【課題】複数個の容器に対してある特定のヘッドを同じ手順で複数回に渡って使用可能な液体製品のパッケージング及び塗布のための組立品を製作する。【解決手段】液体製品のパッケージング及び塗布のための組立品であって、開口部を画定する自由縁２３を有する容器２０と、製品の漏れがない様に開口部を封じるように意図されており、スナップ留め又は螺締めにより容器に固定可能な封鎖部材４０と、容器に固定可能な塗布用ヘッド３０とから構成され、該塗布用ヘッドは、容器の内部と連通する分配用開口部３６と、ヘッドが容器に装着された時に封鎖部材を破って分配用の開口部と容器内部との連通を確立させることを意図した開封部材３８と、ヘッドへの外圧に対して製品を供給するように変形可能な壁３７とを含む。【選択図】図３
2004323113.tif 000002
【特許請求の範囲】
【請求項１】
液体製品のパッケージング及び塗布のための組立体であって、
開口部（２４）を画定する自由端縁（２３）を有する容器（２０）と、
製品の漏れがないように開口部（２４）を封じるように意図されており、スナップ留め又は螺締めにより容器に固定可能な封鎖部材（４０）と、
１）容器の内部と連通可能な分配用開口部（３６）
２）ヘッドが容器に装着された時に封鎖部材（４０）を破って分配用の開口部と容器内部との連通を確立させることを意図した開封部材（３８）
３）ヘッドへの外圧に対して製品を供給するように変形可能な壁（３７；１３７）
上記１）〜３）を有する容器に固定可能な塗布用ヘッドと、
を具備する組立体。
【請求項２】
前記ヘッド（３０）は、ヘッドを容器に装着するために使用されるねじ山（３２）を有することを特徴とする請求項１に記載の組立体。
【請求項３】
前記変形可能な壁が凸面壁（３７）またはベローズ状（１３７）であることを特徴とする請求項１又は２に記載の組立体。
【請求項４】
前記ヘッド（３０）が単一片から成型されることにより取得されることを特徴とする請求項１ないし３のいずれかに記載の組立体。
【請求項５】
前記変形可能な壁が、エラストマー素材のバイインジェクションのオーバーモールディングにより製造されることを特徴とする請求項１ないし４のいずれかに記載の組立体。
【請求項６】
前記ヘッド（３０）が単一素材からなることを特徴とする請求項１ないし４のいずれかに記載の組立体。
【請求項７】
前記ヘッドはノズル（３５）を有し、その先端には製品を分配するための開口部（３６）が形成されていることを特徴とする請求項１ないし６のいずれかに記載の組立体。
【請求項８】
前記ノズル（３５）がヘッドの中心から外れていることを特徴とする請求項７に記載の組立体。
【請求項９】
前記開封部材（３８）が刃状であることを特徴とする請求項１ないし８のいずれかに記載の組立体。
【請求項１０】
前記刃状部（３８）がノズル（３５）の一方の壁の延長軸上に形成されていることを特徴とする請求項８又は９に記載の組立体。
【請求項１１】
前記封鎖部材（４０）は、開封部材（３８）が封鎖部材（４０）と接触した時に破れる弱い部位（４２）を含むことを特徴とする請求項１ないし１０のいずれかに記載の組立体。
【請求項１２】
前記封鎖部材（４０）が単一素材からなることを特徴とする請求項１ないし１１のいずれかに記載の組立体。
【請求項１３】
前記封鎖部材（４０）が２つの素材からなることを特徴とする請求項１ないし１１のいずれかに記載の組立体。
【請求項１４】
容器の縁（２３）及び／又は封鎖部材（４０）が、容器に対して封鎖部材の回転動作を制限するための回転防止手段（２６）を有することを特徴とする請求項１ないし１３のいずれかに記載の組立体。
【請求項１５】
容器の縁（２３）は、封鎖部材（４０）に形成された条線と噛合する条線（２６）を有することを特徴とする請求項１ないし１４のいずれかに記載の組立体。
【請求項１６】
容器（２０）が凹状の底部（２２）を有することを特徴とする請求項１ないし１５のいずれかに記載の組立体。
【請求項１７】
液体製品のパッケージング及び塗布用のための組立体であって、
開口部（２４）を画定する自由端縁（２３）を有する容器（２０）と、
製品の漏れがないように開口部（２４）を封じるように意図されており、スナップ留め又は螺締めにより容器に固定可能な封鎖部材（４０）と、
１）先端には分配用の開口部が形成されており、容器の内部と連通可能でヘッドの中心から外れて位置したノズル（３５）
２）ヘッドが容器に装着された時に容器の封鎖部材（４０）を破って分配用の開口部と容器内部との連通を確立させることを意図した開封部材
上記１）及び２）を有する容器に固定可能な塗布用ヘッド（３０）と、
を具備する組立体。
【請求項１８】
頭髪製品を含む化粧品のパッケージング及び塗布のための請求項１ないし１７のいずれかに記載の組立体の使用
【発明の詳細な説明】
【技術分野】
【０００１】
本発明は、液体製品のパッケージング及び塗布のための組立品に関するものであり、その中でも特に化粧品、医薬品または皮膚医薬品の包装及び塗布用装置に関するものである。当該組立品は、例えば脱毛を防ぐローション等の頭髪用製品のパッケージング及び塗布に特に有益である。
【背景技術】
【０００２】
脱毛予防のための製品は、数回に渡り、時間をおいて塗布される。
【０００３】
このような製品は自己破損しうる水薬瓶、例えばガラスの水薬瓶などにパッケージされていることもある。しかし、これでは製品を塗布している間に瓶が破損した場合には鋭いガラスの破片が頭皮に接するので怪我をしたり、そうでなくとも怪我をしたりする危険性がある。
【０００４】
その代案として、このような製品を小瓶に小分けにしてパッケージングし、そこにプラスチック性のディスペンサーヘッドを取り外し可能に固定することができる。そのようなヘッドは、瓶への取り付けが容易で、また別の塗布の際に瓶から取り外して他の瓶に取り付け可能であることが望ましい。
【０００５】
別の塗布用品分野では、パッケージング及び塗布用組立品としては塗布用ヘッドが固定された容器からなるものがよく知られている。例えば、特許文献１は塗料のような液体製品を収容する容器で、塗布用ヘッドが螺締めされているものについて言及している。この文献では、ヘッドは容器が開封された時に容器に螺締めされる。よって、容器が閉じていた場合は先に容器を開封し、それからヘッドを螺締めする必要があり、これでは別の２つの作業を行うことが必要となる。
【０００６】
文献２、文献３、および文献４は、容器が封鎖部材により漏れないように封じられており、上部に塗布用ヘッドが固定された塗布装置を開示している。これら文献では、ヘッドが取り付けられた時に封鎖部材に穴が空き、容器が開封される。
【０００７】
しかしながら、これらの文献は開口部が全て膜、またはヒートシールまたは溶着フィルムにより封じられている。このように封じられた容器の製造費用は比較的高くなってしまう。
【０００８】
文献５が開示しているのは、チューブの頚状部に螺締めされた分配用ヘッドで、初期状態はチューブの頚状部と一体化した蓋により封じられている。当該ヘッドは、チューブの頚状部に螺締された時に蓋を穿孔するための鋭利な部位を有する。また、該ヘッドの底部には、取り外し可能なリングを有し、該リングはチューブの肩部で支持され、蓋から前記鋭利な部位を離隔している。初回の使用前にリングはヘッドから分離されるため、ヘッドは前記鋭利な部位が蓋に到達するまで頚状部で引き続き螺締めすることができ、蓋は穿孔される。製品を分配するには、チューブの壁面を押圧して製品をヘッドに押し出し、分配用の開口部から吐出するようにしなければならない。このような構成では、ヘッドから流出する製品を容易にコントロールすることはできない。
【０００９】
文献６は、先端に乳頭を備えた容器からなる哺乳瓶を開示している。容器は初期状態で金属製の蓋が容器の頚状部を圧着されて封じられており、漏れのないように更に蓋と頚状部の間にシールが圧迫されている。ここでもまた、このように封じられた容器の製造費用は比較的高くなる。更に、中空の鋭利な先端が哺乳瓶の乳首部分の内部に設けられており、該乳首部分が瓶に対して螺締めされると実質的に全周に渡って蓋を貫通して開口させる。先端は３６０度に渡っているために、螺締めする時に相当の摩擦が生じる。結局、このような装置は、製品を人の頭部に塗布する時には適していない。
【００１０】
文献７は医薬製品用の容器を開示している。当該容器は弾性ゴム状のストッパーで封止されており、その上部には通路が通った中央先端部を有するヘッドが設けられており、当該先端部がストッパーの一点で貫通するように意図されている。次いで、容器を逆さにすることで単純に重力効果により前記先端部を介して製品を分配する。ここでもまた、このような装置は製品の流体を容易にコントロールしながら塗布することは不可能である。
【特許文献１】英国特許第２２４９０７８号
【特許文献２】仏国特許第２８１１３７２号
【特許文献３】米国特許第５０４２６９０号
【特許文献４】米国特許第４８９８９２３号
【特許文献５】仏国特許第２２３６７４８号
【特許文献６】米国特許第３８１２９９２号
【特許文献７】米国特許第５８１７０８２号
【発明の開示】
【発明が解決しようとする課題】
【００１１】
従って、本発明の１つの目的は、従来技術の欠点を持たないパッケージング及び塗布の組立品を製造することである。
【００１２】
本発明の１つの目的は、特に低コストでこのような装置を製造することである。
【００１３】
本発明の更なる別の目的は、簡単に使用できるパッケージング及び塗布用の組立品を製造することである。
【００１４】
同様に、本発明の別の目的は、複数個の容器に対して、ある特定のヘッドを同じ手順で複数回に渡って使用できるような組立品を製造することである。
【００１５】
また本発明の別の目的は、的確且つ単純に製品を塗布可能なパッケージング及び塗布用の組立品を製造することである。
【００１６】
本発明の更なる別の目的は、特に少量の製品の塗布に適するようにコンパクトな組立品を製造することである。
【００１７】
同様に本発明の別の目的は、人間工学的に片手での使用に適した上記形態の小型の組立品を製造することである。
【課題を解決するための手段】
【００１８】
従って、本発明は液体製品のパッケージング及び塗布のための組立品で以下より成る物に関する。
−開口部を画定する自由端縁を有する容器
−製品の漏れがないように開口部を封じるように意図されており、スナップ留め又は螺締めにより容器に固定可能な封鎖部材
−容器に固定可能な塗布用ヘッドで以下の要素を有するもの
１）容器の内部と連通可能な分配用開口部
２）ヘッドが容器に装着された時に封鎖部材を破って分配用の開口部と容器内部との連通を確立させることを意図した開封部材
３）ヘッドへの外圧に対して製品を供給するように変形可能な壁
【発明の効果】
【００１９】
容器の封鎖部材はスナップ留め又は螺締めされているため、当該組立品は容器がヒートシール膜で封じられている場合に比べてより容易に製造可能である。
【００２０】
更に、ヘッドを容器に取り付ける事と容器を開封する事の両方について、ユーザーがひとつの作業のみで行えるために、パッケージングと塗布のための当該組立品は比較的使用が容易である。
【００２１】
ヘッドには、容器にヘッドを装着するためのねじ山がある。従って容器にヘッドを固定したり、次回に使用するために外したりすることが容易である。あるいは、ヘッドは容器にスナップ留めで固定することもできる。
【００２２】
変形可能な壁は、凸面壁またはベローズ状である。
【００２３】
ヘッドは、単一片から成型することにより取得される。特に、単一材質で単一片から成型されることにより取得されるが、もう一つの方法として変形可能な壁はエラストマー素材のオーバーモールディング、特にバイインジェクションにより製造することができる。従って、組立品は少数パーツで製作されるので低コストで製造可能である。事実、当該組立品は、容器、封鎖栓部材及びヘッドの３つのパーツのみである。
【００２４】
当該ヘッドはノズルを有し、その先端には製品を分配するための開口部が形成されている。これによって製品が的確に塗布される。ノズルは、ヘッドの中心部から外れて位置している。それによって、とりわけノズルの軸沿いに充分な空間が確保され、製品の流出に十分な大きさで変形可能な壁を製造可能である。
【００２５】
封鎖部材は刃形状になっている。刃状部分はノズルの一方の壁の軸方向の延長上に、組立品のサイズの肥大を避け、更にヘッドのモールドリリースを円滑にするように形成されている。従って、比較的コンパクトな組立品が得られる。
【００２６】
封鎖部材には、開封部材が封鎖部材栓に触れた時に破れる弱い部位が含まれている。
【００２７】
封鎖部材は単一材製であってもよいし、あるいは２つの材質製であってもよい。例えば、栓は、剛性又は半剛性の熱可逆性材料から成る締結フランジと、エラストマー素材のバイインジェクションにより得られる中央部分とを有する。更に、封鎖部材は、剛性又は半剛性の熱可逆性材料から成る締結フランジと、アルミニウム等の該締結フランジに溶着された膜により形成された中央部分とを有する。
【００２８】
容器の縁及び／又は封鎖部材は、容器に対して封鎖部材の回転動作を制限するための回転防止手段が設けられている。容器の縁部には、例えば、封鎖部材に形成された凹凸面と噛合するような凹凸面が設けられてもよい。
【００２９】
容器は、親指のポジショニングを促すように底が凹面になっている。それによって容易に製品の塗布を行うことができる。
【００３０】
独立的又は上記との組み合わせにより、本発明は液体製品のパッケージング及び塗布のための組立品で以下より成る物に関する。
−開口部を画定する自由端縁を有する容器
−製品の漏れがないように開口部を封じるように意図されており、スナップ留め又は螺締めにより容器に固定可能な封鎖部材
−容器に固定可能な塗布用ヘッドで以下の要素を有するもの
１）先端には分配用の開口部が形成されており、容器の内部と連通可能でヘッドの中心から外れて位置したノズル
２）ヘッドが容器に装着された時に封鎖部材を破って分配用の開口部と容器内部との連通を確立させることを意図した開封部材
【発明を実施するための最良の形態】
【００３１】
本発明による組立品は、特に頭髪用製品等の化粧品のパッケージング及び塗布に有益であり、この場合には製品にアルコールベースの化合物が含まれることが考えられる。
【００３２】
上記で説明された内容以外に、本発明は以下に説明される内容を含み、添付図に照らし合わせて非限定的な模範的実施例を説明する。
【実施例】
【００３３】
以下に言及する図１ないし図４は、脱毛予防用液体製品のパッケージング及び塗布を目的とした本発明による組立品１０を例示している。当該組立品１０には容器２０が含まれ、その上部には塗布用ヘッド３０が設けられている。
【００３４】
容器２０は、例えばＰＥＴのような熱可塑性質材による剛性のボトル形状を取っている。あるいは、ガラス製のボトルが使用されてもよい。例えば、ボトルの容量は６ｍｌである。当該ボトルは縦軸Ｘを有し、一端が底部２２によって閉塞された軸対称の側壁２１を含む。例えば、底部２２は、親指のポジショニングを促すように凹面壁になっている。ボトルのもう一端は自由端縁２３になっており、開口部２４を画定している。
【００３５】
塗布用ヘッド３０をボトルに装着するために、自由端縁２３の近傍のボトルの外表面には、塗布用ヘッドの内表面に設けられた相補的なねじ止めと補完し合うための螺状のねじ山２５が設けられている。
【００３６】
ねじ山２５と自由縁２３の間でボトルの外表面には、軸Ｘと平行に延在する条線２６が設けられており、その機能を以下に説明する。条線２６はボトルの外周の一部にのみ、例えばボトルの環状部分で正反対の２箇所にのみ設けられている。あるいは、条線がボトルの外周全体に刻まれていてもよい。
【００３７】
当該ボトルには条線２６とねじ山２５の間に環状溝２７も設けられており、これにより、以下に示すように、ボトルに栓部材４０が装着可能になる。
【００３８】
塗布用ヘッド３０はボトルの頚状部に螺締めされるように意図されている。そのため、当該ヘッドは、ボトルのねじ山２５と相互作用するねじ山３２が内周に設けられた締結フランジ３１を有する。また別の方法として、当該ヘッドがスナップ留めによって頚状部に固定されてもよい。
【００３９】
図３Ｂに見られるように、塗布用ヘッドの上方部では、フランジ３１は、栓部材４０上で漏れないように支止めされた密閉リング部３４を備えた半径方向の肩部３３を有する。
【００４０】
締結フランジには、開口部３６に挿通する内部通路３５を画定するノズル３５が当該肩部より上方に延在しており、ノズルの自由端から製品を分配する。当該ノズルは、軸Ｘに対して中心から外れるようにヘッドの一方の縁部に形成される。内部通路３５ａの寸法は、特に、製品が重力効果により容易に流出しないように製品の粘性に応じて選択される。
【００４１】
更に、締結フランジ３１の上部は凸面壁３７により封じられている。凸面壁３７は、軸Ｘに平行方向に圧力がかけられた時に、ヘッドの内部に向かって陥凹する様に変形可能である。この変形によりヘッド内部の製品の界面張力が破られ、製品が分配される開口部３６に向かって流れることが可能になる。
【００４２】
栓部材４０はボトルの使用前には開口部２４を漏れないように封じており、ヘッド３０には、この栓部材４０を破るための開封部材３８も含まれている。開封部材は刃状部３８であり、ボトル方向に向いて軸Ｘと平行に自由端３９まで延在している。当該刃状部３８は、若干湾曲して円弧状部の一部を介してのみ連接されている。図３Ａに見られるように、刃状部の自由端縁３９は栓部材４０への挿入を促すために斜角になっている。更に、図７に見られるように自由端縁３９は破られる栓部材の面に対して傾斜しており、徐々に栓部材に接近する。図８に示された変形例では、自由端縁３９は、始めに栓部材を切断するための実質的に傾斜した第１部分３９ａと、仕上げのための該第１部分より傾斜が緩い第２部分とを有する勾配が異なる２つの部分からなる。
【００４３】
充分に変形可能な壁を確保しながら組立品の大きさを制限するために、刃状部３８はノズルの一方の壁の軸延長線上に形成されている。これは更にノズルのモールドリリースを促す。
【００４４】
ねじ止め２５と３２は浅い傾斜が好ましく、ヘッドがボトルに螺締めされたときに螺締めの定位置に達するまでに一回転以上必要となるため、これにより切抜きが改善されることとなる。
【００４５】
当該ヘッドは１つの要素から成型されると有利である。ヘッドは、特に、ポリエチレン、ポリプロピレン、ポリエチレン・テレフタレート、ポリ塩化ビニール、ポリアミド等の１種類の熱可塑性材質で成型することができる。あるいは、凸面壁３７は、ヘッドの残りの部分に対してオーバーモールド成型することも可能であり、例えば、サントプレーネ（Ｓａｎｔｏｐｒｅｎｅ）（登録商標）といった特にゴム等のエラストマー素材からなる。ヘッドはいずれの場合も洗浄可能であるため、数回に渡って使用可能である。
【００４６】
図５の変形例では、凸面壁３７がベローズ状の１３７に置き換えられている。
【００４７】
塗布用ヘッド３０が固定される前は、ボトルは例えばＰＥＴなどの熱可塑性材質より成る栓部材４０で封じられている。栓部材はボトルの頚状部にスナップ留めしてある。あるいは、栓部材４０はボトルに対して螺締めすることもできる。
【００４８】
栓部材４０は、切断される弱い部位４２を含む円形壁４１から成る。弱い部位４２は、好ましくは、ボトルの開口部２４がほぼ全面的に開放されるように栓部材の外周近傍で環状に位置する。壁４１の弱い部位４２は、壁４１の他の部分よりも厚みの薄い環状部分で形成される。当該弱い部位４２は、環状部分全面の厚みを薄くする代わりに、厚みを可変させて、特に鋸歯状に可変させてもよい。当該厚みは、壁４１と同じ厚さの第１の値と、それより薄い第２の値の２つの値で環状部に沿って交互に可変させてもよい。
【００４９】
円形の壁４１は、厚みの薄い部位４２から締結フランジ４３までいっぱいに広がり、該締結フランジ４３は軸方向に延び、その内表面にボトルの溝２７に収容されるように環状ビーズ４４を有する。当該締結フランジ４３は、その内表面に（図示されていない）条線を有し、該条線は、ボトルの条線２６と噛合するように設けられている。これは、ボトルに対する栓部材の回転動作を制限可能な回転防止手段を構成している。当然ながら、条線以外にも他の凹凸形態により、栓部材及び／又はボトルに回転防止機能が設けられる可能性もある。他のまたは追加の方法として、ボトルの外径に対して締結フランジの内径を選択してもよく、それにより、栓部材４０のボトルへの締結によりボトルに対する栓部材の回転動作を制限することができる。
【００５０】
栓部材には締結フランジと同心の密封フランジ４５も設けられている。密封フランジ４５は、薄い部位４２と締結フランジ４３の間の円形の壁４１のレベルから端縁４６まで軸方向に伸びている。当該フランジはボトルの内表面に対して漏れない様に配設されている。縁４６は該フランジの中心に向かって若干傾斜しており、これにより栓部材４０をボトルに装着する時にボトルの頚状部に密閉フランジ４５が挿入されてセンタリングが容易になる。更に、このような形状は、栓部材の生産ラインへの流通を円滑にし、特に、部品が互いに重なり合うの防止する。図２の実施例では、端縁４６は連続的である。図６に示される変形例では、端縁はタブ４７で形成されており、より柔軟性を有する端縁を形成することができる。
【００５１】
同様に、栓部材４０は、特に、ポリエチレン、ポリプロピレン、ポリエチレン・テレフタレート、ポリ塩化ビニール、ポリアミド等の熱可塑性材質から単一片で成型される。栓部材は、単一素材で製造されるか、もしくは、円形壁４１はエラストマー素材のバイインジェクションにより製作される。
【００５２】
（図示されていない）１つの変形例によれば、塗布用ヘッド３０は、ボトルに対してではなく、栓部材４０に対して螺締めすることができ、そうすると、ねじ山は栓部材４０の外壁に設けられる。更にほかの方法として、ヘッド３０はボトルにスナップ留めすることもできる。
【００５３】
当該装置を使用するために、ユーザーは、栓部材４０で封じられたボトル２０を握持する。次いで、上記のように封じられたボトルの頚状部にヘッド３０を螺締めして固定する。栓部材には条線が設けられており、それがボトルに形成された条線２６との摩擦により栓部材がボトルに対して回転する様な動きは防止されるため、螺締めしている間、栓部材はボトルに対して固定された状態である。図３Ａに見られるように、螺締めしている間、刃状部３８は栓部材の薄い環状部位４２が破れるまで徐々に当該部分を切り取る。次いで、開口部はボトル内部とつながる。図３Ｂに示されているように、螺締めの最後に、栓部材の円形壁４１は完全に切り離され、ボトルの中に落下する。別の方法として、円形壁４１は、半径方向の小面積部分により栓部材に接続されたままになる。
【００５４】
続いて、ユーザーは当該装置を逆さにしてノズルを頭皮に向けて製品を塗布することができる。図４に見られるように、例えば、ユーザーは、親指を容器の底部に、人差し指を凸面壁に添えて塗布用を保持する。続いて、ユーザーは製品を出すために凸面壁を押圧して製品の流出を促して製品を取り出すことができる。続いて、製品の流出を止めるためには、ユーザーは押圧を止めるだけでよい。従って、ユーザーは製品供給に対して完全にコントロールすることができる。このようにして製作された組立品は非常に人間工学的であり、形状が小型であると２本の指で使用するのに適しているため、使用時に非常に便利である。開口部は直径が小さくノズル端に位置しているため、製品が該当者の頭部に局部的に流出し、それにより製品を充分にコントロールしながら塗布することが可能になる。
【００５５】
ボトルの内容物を塗布した後、ユーザーは後で再利用するために、空のボトルからヘッド３０を回して取り外すこともできる。実際に、ヘッドは、好ましくは洗浄後に、最初の使用の時と同じ状態で別のボトルで再利用可能である。
【００５６】
上記の発明の開示において、本発明の好ましい実施形態について言及した。特許請求の範囲に記載された発明から逸脱することなく当該実施形態の変形が可能であることは明らかである。
【図面の簡単な説明】
【００５７】
【図１】本発明によるパッケージング及び塗布用組立品の透視図である。
【図２】図１の組立品の分解図である。
【図３】図３Ａは、塗布用ヘッドが容器に固定された初期状態にある図１のパッケージング及び塗布用組立品の切断図である。図３Ｂは、塗布用ヘッドが容器に取り付けられた状態にある図１のパッケージング及び塗布用組立品の切断図である。
【図４】図１のパッケージング及び塗布用組立品の使用中の様態図である。
【図５】本発明によるパッケージング及び塗布用組立品の第２の実施例を示している。
【図６】ボトルの栓部材の変形例を示している。
【図７】栓部材を開封するための部材を示している。
【図８】栓部材を開封するための部材の変形例を示している。
【符号の説明】
【００５８】
１０    組立品
２０    容器
２１    側壁
２２    凹面の底
２３    自由端縁（容器のエッジ）
２４    開口部
２５    ねじ止め（ボトルのねじ山）
２６    条線
２７    溝
３０    塗布用ヘッド
３１    締結フランジ
３２    ねじ山
３３    半径方向の肩部
３４    密閉リング
３５    ノズル
３５ａ  内部通路
３６    分配用開口部
３７    凸面の変形可能な壁
３８    開封部材（刃）
３９    自由端縁
４０    栓部材
４１    壁（円形壁）
４２    弱い部位
４３    締結フランジ
４５    密封フランジ
４６    縁
４７    タブ
１３７  ベローズ状の変形可能な壁
【図１】
2004323113.tif 000003
【図２】
2004323113.tif 000004
【図３】
2004323113.tif 000005
【図４】
2004323113.tif 000006
【図５】
2004323113.tif 000007
【図６】
2004323113.tif 000008
【図７】
2004323113.tif 000009
【図８】
2004323113.tif 000010